【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
始動条件の成立により遊技者にとって有利な特別遊技をおこなうか否かの判定をおこなう判定手段と、
前記判定手段により前記特別遊技をおこなうと判定された場合に、複数の図柄を変動表示した後に特定の組合せ図柄で停止表示し、
前記判定手段により前記特別遊技をおこなわないと判定された場合に、前記複数の図柄を変動表示した後に非特定の組合せ図柄で停止表示する図柄表示手段と、
前記図柄表示手段により前記特定の組合せ図柄が停止表示された後に前記特別遊技を実行する特別遊技手段と、
前記図柄表示手段による前記複数の図柄の変動表示中に所定の演出を実行する演出手段と、
を備え、
前記図柄表示手段は、
前記複数の図柄を変動表示した後に前記非特定の組合せ図柄を擬似停止表示してから、再度変動表示した後に前記特定の組合せ図柄または前記非特定の組合せ図柄を停止表示するステップアップ表示手段を有し、
前記演出手段は、
前記ステップアップ表示手段により前記非特定の組合せ図柄が擬似停止表示された場合に前記特別遊技をおこなう信頼度に応じて異なる特別演出を実行し、
前記ステップアップ表示手段は、
前記演出手段により実行される前記特別演出に応じて擬似停止表示した前記非特定の組合せ図柄の表示態様を変更することを特徴とする遊技機。
【請求項２】
前記ステップアップ表示手段は、
実行される前記特別演出を示唆するように前記非特定の組合せ図柄の表示態様を変更することを特徴とする請求項１に記載の遊技機。
【請求項３】
前記図柄は、前記判定手段の判定結果を示唆するための主図柄と、当該主図柄を装飾する装飾図柄とを有し、
前記ステップアップ表示手段は、
前記非特定の組合せ図柄を構成する前記複数の図柄の前記装飾図柄の表示態様を変更することを特徴とする請求項１または２に記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、ぱちんこ遊技機などの所定の図柄を変動させ、変動後に当該図柄を停止させる遊技機に関する。
【手続補正４】
【補正対象書類名】明細書
【補正対象項目名】０００６
【補正方法】変更
【補正の内容】
【０００６】
本発明は、上記の従来技術による問題点を解消するため、図柄の変動が再開された後も遊技者の期待感を維持させ、遊技の面白みの向上を図ることができる遊技機を提供することを目的とする。
【手続補正５】
【補正対象書類名】明細書
【補正対象項目名】０００７
【補正方法】変更
【補正の内容】
【０００７】
上述した課題を解決し、目的を達成するため、以下の構成を採用した。ぱちんこ遊技機は、複数の図柄を変動させた後に停止させるぱちんこ遊技機であって、大当たりに関する制御をおこなう主制御基板から送出されたコマンドに基づき、複数の演出パターンの中から一の演出パターンを選択する演出選択手段と、前記演出選択手段によって選択された一の演出パターンに基づき、当該演出パターンがあらわす演出を実行する演出実行手段と、を備え、前記演出選択手段は、前記コマンドが大当たりを示すコマンドであった場合に、変動中の前記複数の図柄をはずれを示す特定の組み合わせで一旦停止させた後、当該図柄の変動を再開させるとともにそれぞれ異なるリーチ演出へ発展させる複数の演出パターンの中から前記一の演出パターンを選択することを特徴とする。
【手続補正６】
【補正対象書類名】明細書
【補正対象項目名】０００８
【補正方法】変更
【補正の内容】
【０００８】
また、上記構成において、前記演出選択手段は、前記複数の図柄を前記特定の組み合わせで一旦停止させた後、当該図柄の変動を再開させるとともに所定のリーチ演出（以下「第１のリーチ演出」という）へ発展させる第１の演出パターンと、前記複数の図柄を前記特定の組み合わせで一旦停止させた後、前記第１のリーチ演出よりも大当たりへの信頼度が高い第２のリーチ演出へ発展させる第２の演出パターンと、を有し、前記第２の演出パターンに比べて前記第１の演出パターンを、前記一の演出パターンとして高い割合で選択することとしてもよい。
【手続補正７】
【補正対象書類名】明細書
【補正対象項目名】０００９
【補正方法】変更
【補正の内容】
【０００９】
また、上記構成において、前記第１演出パターンは、前記第１のリーチ演出への発展を予告する第１の予告演出を実行させた後、前記図柄の変動を再開させるとともに前記第１のリーチ演出へ発展させ、前記第２演出パターンは、前記第２のリーチ演出への発展を予告する第２の予告演出を実行させた後、前記図柄の変動を再開させるとともに前記第２のリーチ演出へ発展させることとしてもよい。
【手続補正８】
【補正対象書類名】明細書
【補正対象項目名】００１０
【補正方法】変更
【補正の内容】
【００１０】
また、上記構成において、前記演出選択手段は、前記複数の図柄を前記特定の組み合わせで停止させた後、前記第１の予告演出または第２の予告演出のいずれかを実行させ、前記図柄の変動を再開させず演出を終了させる第３の演出パターンをさらに有し、前記コマンドがはずれを示すコマンドであった場合には前記第３の演出パターンを選択することとしてもよい。
【手続補正９】
【補正対象書類名】明細書
【補正対象項目名】００１１
【補正方法】変更
【補正の内容】
【００１１】
また、上記構成において、前記図柄は、所定の文字をあらわす主図柄と、当該主図柄を装飾する模様をあらわす装飾図柄とを有し、前記第１の予告演出または前記第２の予告演出は、前記主図柄を変更せずに、前記装飾図柄を変更する演出であることとしてもよい。
【手続補正１０】
【補正対象書類名】明細書
【補正対象項目名】００１２
【補正方法】変更
【補正の内容】
【００１２】
また、上記構成において、前記演出選択手段は、前記コマンドを受信すると、所定の乱数を取得し、当該乱数に基づき、前記一の演出パターンを選択することとしてもよい。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１８
【補正方法】変更
【補正の内容】
【００１８】
以下に添付図面を参照して、本発明にかかる遊技機の好適な実施の形態を詳細に説明する。
【手続補正１５】
【補正対象書類名】明細書
【補正対象項目名】０１２１
【補正方法】変更
【補正の内容】
【０１２１】
これにより、遊技者はチャンス目が停止した時点ではその後の展開を予測することができないため、期待感を維持することができる。その際に、遊技者は、信頼度が高いリーチ演出へ発展する予告演出が実行されるように願いつつ演出を楽しむことができる。これにより、遊技者の期待感は大当たり（もしくははずれ）が確定する直前まで維持されることとなり、遊技の面白みが向上する。
【手続補正１６】
【補正対象書類名】明細書
【補正対象項目名】０１２５
【補正方法】変更
【補正の内容】
【０１２５】
以上のように、本発明にかかる遊技機は、ぱちんこ遊技機などの複数の図柄を変動させた後に停止させる遊技機に適している。